(57)【要約】【課題】容易に装着でき、また、装着した状態のシャツ収納スペースが増大し難い襟保持具を提供する。【解決手段】平面略Ｖ字形状の板状の襟保持具本体５を備える。襟保持具本体５は、この襟保持具本体５の両側部に襟４と台襟との間に配設可能な保持部11a，11bを対称に設ける。また、これら保持部11a，11b間に位置する基部12を設ける。この基部12に折曲可能な板状の係止片６を取り付ける。また、基部12における係止片６側の端部である上側端部に、襟規制凹部17を形成する。この襟規制凹部17は、装着する際に、襟の折返部13の端部24に当接する。このように、襟規制凹部17が襟４の折返部13の端部24に当接することにより、襟４を閉じた状態に規制する。【選択図】図１
2010240219.tif 000002
【特許請求の範囲】
【請求項１】
シャツの折り返した状態の襟を保持する襟保持具であって、
板状の襟保持具本体と、
この襟保持具本体に設けられ折曲可能な板状の係止片とを備え、
前記襟保持具本体は、この襟保持具本体の両側部に対称に形成され、襟と台襟との間に配設される保持部と、これら保持部間に位置し前記係止片が設けられた基部と、この基部の前記係止片側の端部に位置し襟の折返部の端部に当接する襟規制凹部とを有する
ことを特徴とした襟保持具。
【発明の詳細な説明】
【技術分野】
【０００１】
本発明は、クリーニング後のハンガーに吊るした立体仕上げのシャツに装着され、襟の形状を保持して型崩れを防止するための襟保持具に関する。
【背景技術】
【０００２】
クリーニング後のシャツは、襟の型崩れを防止するために、襟を保持する襟保持具が装着される。
【０００３】
ここで、クリーニング後に畳んだ状態で仕上げた、いわゆる畳み仕上げの場合、折り返した襟と台襟との間に挟むだけで装着できる襟保持具であっても、十分に襟の形状を保持できる。しかし、クリーニング後にハンガーに吊るした状態に仕上げた、いわゆる立体仕上げの場合は、襟と台襟との間に挟むだけの襟保持具では脱落し易く、襟を保持できない。
【０００４】
そこで、従来、立体仕上げの場合であっても脱落し難い襟保持具としては、上辺と下辺とを近付けるように折曲可能な翼板部と、シャツの釦に係止可能な係止溝と、シャツの襟の両端部間に差入れ可能であり、前立てに係止可能な折曲突片とを備えたものが知られている（例えば、特許文献１参照。）。この構成によれば、襟元の釦を係合させた状態のシャツに対して、前記翼板部を折り返された襟の内側に配置し、前記係止溝をシャツの釦に係止し、前記折曲げ突片をシャツの前立てに係止して、シャツの襟を保持する。また、押え具本体と、折曲連結部を介して前記押え具本体に折曲自在に連設された折返片とを備え、前記押え具本体はシャツの襟と台襟との間に配置される左右突片を有し、前記折返片はシャツの前立てに係止可能な係止片を有するものが知られている（例えば、特許文献２参照。）。この構成によれば、襟元の釦を係合させた状態のシャツに対して、シャツの襟と台襟との間に前記左右突片を挿入し、前記折返片を前記折曲連結部にて折り返し、前記係止片をシャツの前立てに係止して、襟を保持する。
【先行技術文献】
【特許文献】
【０００５】
【特許文献１】実開昭５５−９３６８１号公報（第１−３頁、第１図、第３図）
【特許文献２】特開平９−１９１９８６号公報（第２−４頁、図１、図２）
【発明の概要】
【発明が解決しようとする課題】
【０００６】
しかしながら、上述の特許文献１および特許文献２の構成では、クリーニング後にあらかじめシャツの釦と釦孔とを係合して、襟が閉じた状態にしてから装着する必要があるので、作業が煩雑になり、容易に装着できない問題が考えられる。特に、例えばクリーニング店等のように大量に仕上げる場合、前記釦と前記釦孔とを係合する作業が想像以上に煩雑であり、作業時間が長時間化しコストが高騰する要因である。
【０００７】
また、立体仕上げのシャツは、そのままハンガーに吊るされた状態で収納されることが想定できるが、上記特許文献１の構成は上辺と下辺とを翼板部の弾性復原力にて立体的に襟を保持する構成であり、上記特許文献２の構成は折返片を折り返して係止片を係止させる構成であるので、いずれの構成も襟を保持した状態ではシャツ全体の厚みに対して襟保持具の厚みが厚くなってしまい、収納スペースが必要以上に増大してしまう問題が考えられる。
【０００８】
本発明はこのような点に鑑みなされたもので、容易に装着でき、また、装着した状態のシャツの収納スペースが増大し難い襟保持具を提供することを目的とする。
【課題を解決するための手段】
【０００９】
請求項１に記載された襟保持具は、シャツの折り返した状態の襟を保持する襟保持具であって、板状の襟保持具本体と、この襟保持具本体に設けられ折曲可能な板状の係止片とを備え、前記襟保持具本体は、この襟保持具本体の両側部に対称に形成され、襟と台襟との間に配設される保持部と、これら保持部間に位置し前記係止片が設けられた基部と、この基部の前記係止片側の端部に位置し襟の折返部の端部に当接する襟規制凹部とを有するものである。
【発明の効果】
【００１０】
請求項１に記載された発明によれば、襟規制凹部を有することにより、シャツの釦を係合しない状態で装着できるので、容易に装着できる。
【００１１】
また、襟保持具本体が板状であり、係止片が板状であることにより、装着した状態のシャツの厚みが必要以上の厚くならないので、収納スペースが増大し難い。
【図面の簡単な説明】
【００１２】
【図１】本発明の一実施の形態に係る襟保持具の装着状態を示す平面図である。
【図２】（ａ）は同上襟保持具を示す平面図であり、（ｂ）は同上襟保持具を示す背面図である。
【図３】（ａ）は同上襟保持具の構成を示す側面図であり、（ｂ）は同上襟保持具の構成を示す正面図であり、（ｃ）は同上襟保持具の構成を示す底面図である。
【図４】（ａ）は図２におけるＡ−Ａ断面であり、（ｂ）は図２におけるＡ−Ａ断面の一部を拡大した断面図である。
【図５】図１におけるＢ−Ｂ端面の一部を示す端面図である。
【図６】同上襟保持具の装着動作を（ａ）、（ｂ）の順に説明する平面図である。
【発明を実施するための形態】
【００１３】
以下、本発明の一実施の形態の構成について図１ないし図７を参照しながら詳細に説明する。
【００１４】
図１に示すように、襟保持具１は、クリーニング後にハンガー２に吊るした状態に仕上げられた、いわゆる立体仕上げのシャツ３に装着するもので、シャツ３の折り返した状態の襟４の形状を保持する。
【００１５】
襟保持具１は、板状の襟保持具本体５を備え、この襟保持具本体５にはシャツ３の前立て７を挟むように折曲可能な板状の係止片６が設けられている。
【００１６】
図２ないし図４に示すように、襟保持具本体５は、例えば厚紙や合成樹脂等にて略平面Ｖ字形状に形成されている。この襟保持具本体５におけるＶ字形状の分岐した部分である両側部には、中心から外側上方へ傾斜状に突出する保持部11a，11bが対称に形成されている。また、これら保持部11aと保持部11bとの間であり、Ｖ字形状の収束した部分には、基部12が設けられている。
【００１７】
なお、襟保持具１をシャツ３に装着した装着状態では、襟保持具本体５における保持部11a，11bの突出方向の先端部側がシャツ３の襟４の奥側すなわち上側に位置し、基部12側がシャツの胸部側すなわち下側に位置する。また、保持部11a，11bが、折返部13にて折り返された襟４の内側面と、シャツ３の首周り部分である図示しない台襟の外側面との間に配置される。
【００１８】
保持部11a，11bの突出方向側の端部すなわち上端部である上角部には、円弧状に切り欠かれた円弧部15が形成され、この円弧部15に対向する端部である下角部には、円弧部15の円弧形状に対応した形状に切り欠かれた切欠部16が形成されている。
【００１９】
基部12は、保持部11a，11bの突出方向側の端部に、保持部11a，11bの突出方向とは反対側へ凹状に形成された襟規制凹部17が設けられている。すなわち、襟規制凹部17は、基部12の上端部から下方へ凹状に形成されている。また、基部12における襟規制凹部17の反対側である下側端部には、襟規制凹部17の凹形状に対応した形状にて基部12から突出する基部凸部18が形成されている。さらに、図２におけるＡ−Ａ断面図である図４（ａ）および図４（ｂ）に示すように、基部12における中央部よりやや上側には２つの挿通孔19が設けられている。
【００２０】
係止片６は、例えば金属や合成樹脂等の可撓性を有している折曲可能な材料にて略矩形状に形成されており、任意の箇所で折曲可能である。また、係止片６には、略三角形状に切り欠かれ、係止片６から基部12側へ突出するように折曲された２つの挿通爪部20が設けられている。これら挿通爪部20は、図４（ａ）および図４（ｂ）に示すように、基部12の挿通孔19に挿通可能であり、挿通孔19にそれぞれ挿通させて、挿通した部分の先端が基部12と略平行になるように折曲することで、挿通爪部20が基部12に引っ掛り、係止片６が基部12に対して固定される。
【００２１】
そして、襟保持具１をシャツ３に装着して襟４の形状を保持する際には、襟４の折返部13の端部24が襟規制凹部17に当接し、シャツ３の左右両方の前立て７a，７bが重なった状態で、図１におけるＢ−Ｂ断面図である図５に示すように、係止片６を折曲させることにより、係止片６にて前立て７a，７bの襟４側の端部すなわち上端部を挟み、襟保持具１を装着状態で係止する。
【００２２】
次に上記一実施の形態の作用および装着動作を図６を参照しながら説明する。
【００２３】
例えばクリーニング後等のハンガーに吊るされた状態のシャツ３に襟保持具１を装着する際には、図６（ａ）に示すように、折り返された状態の襟４と台襟との間に保持部11a，11bを円弧部15側から挿入する。なお、この挿入の際には、シャツ３は、釦22と釦孔23とを係合する必要はなく、襟４が開いた状態でよい。
【００２４】
また、そのまま保持部11a，11bを折返部13に沿って襟３の奥側へ挿入し、図６（ｂ）に示すように、折返部13の端部24を規制凹部17内に落とし込むように襟規制凹部17の周縁に当接させる。
【００２５】
この折返部13の端部24と襟規制凹部17の周縁とが当接することにより、襟４および前立て７が襟規制凹部17内に入り込み、襟４が閉じた状態に規制されて、シャツ３の前立て７a，７bが重なった状態となる。
【００２６】
また、この重なった状態の前立て７a，７bを挟むように係止片６を折曲させ、襟保持具１を装着状態にて係止する。
【００２７】
そして、このような構成の襟保持具１によれば、襟規制凹部17を有することにより、襟４の折返部13に沿って襟４と台襟との間に保持部11a，11bを挿入し、そのまま襟規制凹部17の周縁を襟４の折返部13の端部24に当接させるだけで、襟規制凹部17に襟４および前立て７a，７bが入り込み、襟４を閉じた状態に規制できる。したがって、例えばクリーニング後等にシャツ３の釦22と釦孔23とを係合する必要がないので、襟保持具１を容易に装着でき、シャツ３を襟４が閉じた状態に保持できるとともに、折り返した状態の襟４の形状を保持して襟４の型崩れを防止できる。
【００２８】
また、襟保持具本体５が板状であり、係止片６が板状であることにより、シャツ３の厚みに対して襟保持具１の厚みが厚くならず、襟保持具１を装着した状態のシャツ３の厚みが必要以上に厚くならない。したがって、襟保持具１を装着した状態の立体仕上げのシャツ３をそのまま収納する際において、襟保持具１による収納スペースの増大を抑制できる。
【００２９】
保持部11a，11bに円弧部15を形成することにより、保持部11a，11bを襟４と台襟との間に挿入する際に、保持部11a，11bの上角部がシャツ３に引っ掛ることを防止でき、保持部11a，11bをスムーズに挿入できるので、より容易に襟保持具１を装着できる。
【００３０】
また、円弧部15の形状に対応して切欠部16を形成し、襟規制凹部17の形状に対応して基部凸部18を形成することにより、襟保持具本体５を成形する際に、切り抜くだけ連続的に成形できるので容易に製造できる。
【００３１】
そして、襟保持具１は、シャツ３の釦22と釦穴23とを係合させることなく容易に装着できるので、例えばクリーニング店等では、作業時間の短縮化を図ることができるとともに、襟保持具１が非常にシンプルな構成であり容易に製造できるので、襟保持具１自体のコストも低廉に抑えることができ、コストの低下を図ることができる。
【００３２】
なお、上記一実施の形態では、クリーニング後の立体仕上げのシャツ３に装着するものとして説明したが、装着する対象物は、クリーニング後のシャツに限定されず、襟付のシャツであれば、容易に装着可能であり、襟４の形状を保持できる。
【００３３】
襟保持具本体５と係止片６とは、挿通孔19に挿通爪部20を挿通させて取り付ける構成としたが、このような構成には限定されず、例えば接着剤による接着等のように、襟保持具本体５に対して係止片６を固定できる方法であればよい。
【００３４】
襟保持具本体５は、円弧部15を設けることにより、よりスムーズに装着できるので好ましいが、このような構成には限定されず、円弧部15を設けない構成にしてもよい。
【００３５】
また、円弧部15の形状に対応する切欠部16を設け、襟規制凹部17の形状に対応する基部凸部18を形成する構成とすることにより、襟保持具本体５を容易に成形できるので好ましいが、このような構成には限定されず、それぞれ対応した形状の構成でなくてもよい。
【００３６】
係止片６は、任意の箇所で折曲可能な構成には限定されず、前立て７a，７bを挟むように折曲可能であれば、例えば折曲部を設けて所定の箇所で折曲する構成等にしてもよい。
【符号の説明】
【００３７】
１    襟保持具
３    シャツ
４    襟
５    襟保持具本体
６    係止片
11a   保持部
11b   保持部
12    基部
13    折返部
17    襟規制凹部
24    端部
【図１】
2010240219.tif 000003
【図２】
2010240219.tif 000004
【図３】
2010240219.tif 000005
【図４】
2010240219.tif 000006
【図５】
2010240219.tif 000007
【図６】
2010240219.tif 000008